(57)【特許請求の範囲】
【請求項１】
発光部と受光部とを測定空間を介して互いに対向するように配置してなる測定装置と、
光透過性を有する基板上に試料反応層を配設してなり且つ前記測定空間へ挿入可能な試料液導入部が形成されている測定セルと、
を備え、
前記試料液導入部は、前記測定セルの挿入方向と垂直である幅方向に試料液導入口が設けられ、前記試料液導入部の幅は前記測定装置の前記測定空間の幅よりも広いことを特徴とするバイオセンサ。
【請求項２】
前記測定セルは前記試料反応層上方に基板を有し、前記基板間にはスペーサが介在され、前記スペーサが形成する前記試料液導入口に沿って試料液が導入されることを特徴とする請求項１記載のバイオセンサ。
【請求項３】
前記測定セルの前記試料液導入口は、測定セルを測定装置に挿入した状態で前記測定装置から露出することを特徴とする請求項２記載のバイオセンサ。
【請求項４】
前記測定装置は、前記測定空間を介して互いに対向する前記発光部と前記受光部との対が、複数対配置され、前記測定セルには、前記発光部と前記受光部との対に対応する位置に複数の試料反応層が配置されていることを特徴とする請求項１〜請求項３のいずれかに記載のバイオセンサ。
【請求項５】
前記測定装置の前記測定空間を囲む周囲は、発光部の光、及びこの光が試料液の前記試料反応層への接触による呈色反応により着色された光、を反射する性質を有することを特徴とする請求項１〜請求項４のいずれかに記載のバイオセンサ。
【発明の詳細な説明】
【０００１】
【発明の属する技術分野】
この発明は、バイオセンサに関し、さらに詳しくは、試料液中の基質の濃度を検出するバイオセンサに関する。
【０００２】
【従来の技術】
従来、比色法によりグルコース濃度を簡便に測定するのに、以下に説明するような方法がある。まず、グルコースオキシダーゼとペルオキシダーゼと呈色試薬とを含浸させた試験紙に、体液を滴下すると、体液中のグルコースはグルコースオキシダーゼの作用により酸化され、同時に過酸化水素が発生する。この過酸化水素にペルオキシダーゼが作用して活性酸素を発生させ、この活性酸素が色原体を酸化して呈色させる。この色を目視でカラーチャートと比較し、グルコース濃度を定性的に測定し、高血糖か否かの判定を行う。
また、グルコース濃度を定量的に測定するには、図９に示すように、呈色結果が得られた基板１ａ及び基板１ａ上の試料反応層１ｂからなる被測定部材１の試料反応層１ｂの表面に、例えばＬＥＤや半導体レーザなどを備えてなる光源２から所定波長の光４を照射し、この反射光を受光素子３で受光し、反射光の強度をグルコース濃度に換算して、グルコースを定量的に測定する手法がある。
【０００３】
【発明が解決しようとする課題】
しかしながら、上記したようなカラーチャートを利用して目視でグルコース濃度を判定する方法は、定性的な測定しか行えないため、例えば１次スクリーニング用途にしか使えず、応用範囲が限られたものであった。
【０００４】
また、上記した反射強度を測定する方法では、定量的な測定はできるが、被測定部材１が露出しており、試料液が多すぎると、光源２や受光素子３に直接試料液が触れてしまい、これらの光学機器を汚損する虞れがある。このため、光学機器の光照射量や受光感度に悪影響を与えてしまうという問題がある。また、反射型にするため、素子を斜めに配置する必要があり、光路長が長くなり、被測定部材１からの拡散光５が効率よく受光できないなどの問題があった。そして被測定部材１は試料反応層１ｂの反射強度を上げるために試料反応層１ｂの厚さを厚くすると、厚くするに従い測定に必要な試料液の量が必要になってしまう。逆に少ない試料液の量で測定できるように試料反応層１ｂの厚さを薄くすると、構造上光源２から進行する光は被測定部材１に対し斜めに傾斜しているので、試料反応層１ｂを透過した後、互いに異なる屈折率を持つ基板１ａと試料反応層１ｂとの界面で反射を起こしやすく被測定部材１１内で乱反射をしてしまい、受光素子３が受光する量が小さくなってしまっていた。
【０００５】
この発明が解決しようとする課題は、出射光に対する受光効率が高く、精度の高い検出が行えるバイオセンサを得るにはどのような手段を講じればよいかという点にある。
【０００６】
【課題を解決するための手段】
そこで、請求項１記載の発明は、バイオセンサであって、
発光部と受光部とを測定空間を介して互いに対向するように配置してなる測定装置と、
光透過性を有する基板上に試料反応層を配設してなり且つ前記測定空間へ挿入可能な試料液導入部が形成されている測定セルと、
を備え、
前記試料液導入部は、前記測定セルの挿入方向と垂直である幅方向に試料液導入口が設けられ、前記試料液導入部の幅は前記測定装置の前記測定空間の幅よりも広いことを特徴としている。
【０００７】
請求項１記載の発明では、発光部と受光部との間の測定空間に測定セルを挿入可能にしたので、発光部から照射された光が試料液の接触により呈色した試料反応層により着色され、この着色光が試料反応層表面で反射することなくそのまま透過して受光部に届くことができる。このような構造にしたことにより、透過型バイオセンサとすることができるので、試料反応層を、発光部の複数の進行方向に輻射的に出射される出射光のうちの試料反応層の面方向に対し実質的に垂直に進行する光の量が最大になるように配置することができ、試料反応層や基板での光の乱反射を最小限に抑制し、受光効率を向上することができる。また透過型のバイオセンサとしたことにより試料反応層の厚さを薄くすることができ、少量の試料液で精度の高い測定を行うことができる。また、発光部と受光部とが測定空間を介して互いに対向して配置し、試料反応層からの透過光を受光部で受光する構成であるため、発光部と受光部を試料反応層に対して最大限に近接させることができる。このため、光路長を短くすることができ、試料反応層からの拡散光も効率よく受光できる。
【０００８】
請求項２記載の発明は、請求項１記載のバイオセンサであって、前記測定セルは、前記試料反応層上方に基板を有し、前記基板間にスペーサが介在され、前記スペーサが形成する前記試料液導入口に沿って試料液が導入されることを特徴としている。
【０００９】
請求項２記載の発明では、試料反応層が基板間に存在するため、発光部と受光部に直接触れることがなく、発光部と受光部を試料液で汚損することがない。このため、より精度の高い基質濃度の測定を行うことができる。そしてスペーサで形成された溝内を試料液が導入されるため、例えば溝を細くすることにより、毛管現象により試料液を確実に試料反応層へ導くことが可能になる。
【００１０】
請求項３記載の発明は、請求項２記載のバイオセンサであって、前記測定セルの前記試料液導入口は、測定セルを測定装置に挿入した状態で前記測定装置から露出することを特徴としている。
【００１１】
請求項３記載の発明では、試料液導入口を発光部および受光部から離れた位置に設けることができる。このため、発光部と受光部が試料液で汚損されるのを抑制することができる。また、測定セルを測定装置に挿入してから試料液を試料液導入口から導入して測定することができる。
【００１２】
請求項４記載の発明は、請求項１〜請求項３のいずれかのバイオセンサであって、前記測定装置には、前記測定空間を介して互いに対向する前記発光部と前記受光部との対が、複数対配置され、前記測定セルには、前記発光部と前記受光部との対に対応する位置に複数の試料反応層が配置されていることを特徴としている。
【００１３】
請求項４記載の発明では、複数の試料反応層での基質濃度を独立に測定することができる。このため、一度の測定により、複数種の基質濃度の測定が可能となり、効率のよい測定が行えるバイオセンサを得ることができる。
請求項５記載の発明では、前記測定装置の前記測定空間を囲む周囲は、発光部の光、及びこの光が試料液の前記試料反応層への接触による呈色反応により着色された光、を反射する性質を有することを特徴としている。
【００１４】
【発明の実施の形態】
以下、本発明に係るバイオセンサの詳細を図面に示す各実施形態に基づいて説明する。
（実施形態１）
図１は、本発明に係るバイオセンサの実施形態１を示す断面図、図２は同平面図である。また、図３（ａ）は本実施形態のバイオセンサに用いられる測定セルを示す平面図、図３（ｂ）は図３（ａ）のＸ−Ｘ断面図である。
【００１５】
図１に示すように本実施形態のバイオセンサ１１は、測定装置１２と測定セル１３とから構成されている。
【００１６】
測定装置１２は、先端部１２Ａに測定セル１３を挿入する挿入空隙１４が形成され、この挿入空隙１４を上下に挟んで対向するように、発光部としての発光素子１５と受光部としての受光素子１６とが配置されている。発光素子１５は、光源となる例えばＬＥＤでなり、受光素子１６としては、光電変換を行う各種のフォトセンサを用いることができる。なお、測定装置１２の先端部１２Ａの幅寸法Ｗ１は、後記する測定セル１３の試料液導入部１３Ａの幅寸法Ｗ２より狭い寸法に設定され、少なくとも先端部１２Ａは発光素子１５の光及びこの光が呈色反応により着色された光を反射する性質を有している。また、発光素子１５と受光素子１６とは、図示しない検出用コントロールユニットに接続され、検出用コントロールユニットでの検出値が表示装置（図示省略する）に表示されるようになっている。
【００１７】
測定セル１３は、下基板１７と試料反応層１８とスペーサ１９（１９Ａ、１９Ｂ）と上基板２０とから構成されている。下基板１７は、例えば樹脂フィルム又はガラスでなる透明な基板であり、基板中間部の上に、グルコースオキシダーゼとペルオキシダーゼと呈色試薬を含んだ試料反応層１８が配置、形成されている。スペーサ１９は、図３（ａ）および（ｂ）に示すように、試料反応層１８を挟む位置に分離して配置されたスペーサ１９Ａ、１９Ｂでなり、この試料反応層１８の幅寸法はスペーサ１９Ａ、１９Ｂ相互の間隔と同一に設定されている。このスペーサ１９の上には、下基板１７と同様に透明な上基板２０が貼り合わされている。このような測定セル１３では、下基板１７と上基板２０とは、同一の形状をもち、上記した測定装置１２の先端部１２Ａの挿入空隙１４への挿入される試料液導入部１３Ａと、試料液導入部１３Ａの中間部から、挿入方向と反対の方向に向けて突出する把持部１３Ｂとが形成されている。試料液導入部１３Ａ内には、上記したスペーサ１９を構成するスペーサ１９Ａとスペーサ１９Ｂとの間の空隙である試料液導入空隙２１が幅方向に渡って貫通するように形成されており、この空隙２１の中間部に上記した試料反応層１８が配置された状態となっている。なお、後記するように、吸光度を測定するため、試料反応層１８としては、透明なゲル状のものが望ましいが、不透明であっても、試料液を吸収して透明になるようなものであればよい。また、完全に透明でなくても、所定のグルコース濃度を有する試料液との反応で、光透過量が有意に変化するものであればよい。
【００１８】
次に、このような構成のバイオセンサ１１を用いて試料液中の基質濃度の測定を行う場合の測定手順について説明する。
【００１９】
まず、測定セル１３の把持部１３Ｂを手で摘まみ、試料液導入空隙２１に試料液が存在しない測定セル１３を測定装置１２の先端部の挿入空隙１４へ差し込む。このとき測定セル１３は、発光素子１５の複数の進行方向に輻射的に出射される出射光のうち、試料反応層１８の面方向に対し実質的に垂直に進行する光の量が最大になるように配置される。つまり、発光素子１５と受光素子１６との間を結ぶ線分に対し試料反応層１８の面が垂直に交わるようにように配置される。このため、測定セル１３での光の乱反射を最小限に抑制することができる。
そして、発光素子１５から所定波長域の光を照射して、測定セル１３を透過してきた光量を受光素子１６で測定する。
【００２０】
次に、試料液導入部１３Ａの試料液導入空隙２１の一方の開口部から、尿などの試料液を滴下するか、または、この開口部に試料液を付着させることにより、毛細管現象により試料液を試料反応層１８の方へ吸い込ませる。試料液が試料反応層１８に付着した状態で所定時間経過させ、試料反応層１８の呈色試薬をグルコース濃度に応じた濃さの所定の色に呈色させる。再度、発光素子１５から所定波長域の光を照射し、受光素子１６で呈色された試料反応層１８を介して測定セル１３を透過してきた光の光量を測定する。このようにして、試料液の注入の前後の光量比から吸光度を求め、試料液内のグルコース濃度に換算することができる。なお、このような吸光度の算出やグルコース濃度の表示は、図示しない検出用コントロールユニットや表示装置で行うようになっている。
【００２１】
本実施形態では、出射側と入射側との光学系が直線的に対向・配置されているため、光学素子を測定セルに近接するように配置することが可能となる。このため、吸光度測定時に、図４に示すように、光路長Ｌを短くでき、その結果、試料反応層１８からの拡散光の発生による光のロスを最小限に抑えることができる。同時に、発光素子１５試料反応層１８に向かう光の進行方向は概ね試料反応層１８の面方向に対し垂直もしくはそれに準じた方向なので、上基板２０、試料液導入空隙２１に充填されている気体及び／又は試料液、試料液により呈色している試料反応層１８、及び下基板１７の、互いに隣接する部材同士が互いに異なる屈折率であっても、呈色により着色された光は受光素子１６までほぼ直進するので光の損失が少ない。そして測定セル１３の測定部全域を上下から覆う先端部１２Ａは発光素子１５の光を反射する性質を有しているので受光素子１６が受光できる光の量が多い。このため、発光素子１５からの光を受光素子１６で効率よく受光することができ、測定精度の向上、および発光素子１５の光源の低消費電力化を図ることができる。また、測定セル１３の試料反応層１８が試料導入空隙２１の内奥に配置され、且つ試料液導入方向と測定セル１３を測定装置１２に差し込む方向が垂直をなすため、発光素子１５と受光素子１６などの光学素子に、試料液が直接触れることがないため、素子が汚れず、測定装置１２のメンテナンスが容易であるという利点がある。そして、試料反応層１８での反射を要しないので試料反応層１８を薄くすることができ、少ない量の試料液で充分測定できる。
【００２２】
上記した実施形態１では、呈色試料として、ヨウ化カリウム、４−アミノアンチピリン、Ｏ−トリジン、テトラメチルベンチジンなどを用いることができる。また、それぞれの試料に応じて、ダイナミックレンジが大きく取れる最適な波長域の光源を用いることが望ましい。
【００２３】
また、グルコースオキシダーゼの代わりに、別の酸化酵素、例えば乳酸オキシダーゼを用いれば、試料液中の乳酸濃度を測定することが可能になる。このように、基質を反応して過酸化水素を発生する酵素であれば、それぞれの酵素に対応する基質濃度の測定が可能となる。このような酸化酵素として、アルコールオキシダーゼ、コレステロールオキシダーゼなどを用いることが可能である。
【００２４】
さらに、酵素を用いない呈色反応、例えばテトラブロムフェノールブルーが蛋白と結合して起こる呈色反応を検出すれば、蛋白測定装置として用いることも可能である。また、尿試験紙法で用いられている試薬を使用すれば、潜血、ビリルビン、ウロビリノーゲン、ケトン体、亜硝酸塩、白血球、比重、ＰＨなどの測定が可能である。このように呈色反応を起こす試薬であれば、本実施形態に適用することができる。
【００２５】
またさらに、本実施形態では、試薬液として、血液、尿、汗、涙液などの体液の他、河川水、飲料品などの溶液中の基質濃度の測定を行うことも可能である。
【００２６】
（実施形態２）
次に、図５を用いて本発明に係るバイオセンサの実施形態２を説明する。なお、本実施形態において上記実施形態１と同一部分には、同一の符号を付して説明を省略する。
【００２７】
本実施形態では、バイオセンサ１１を構成する、測定セル１３の構成が上記実施形態１と略同様であるが、特に、本実施形態ではスペーサ１９（１９Ａ、１９Ｂ）が透明材料で形成されている。また、測定装置１２は、挿入空隙１４の挿入方向に沿って、この挿入空隙１４を挟んで互いに対向する発光素子１５Ａと受光素子１６Ａの対と、発光素子１５Ｂと受光素子１６Ｂの対との、２対のフォトカプラが配置されている。なお、発光素子１５Ａと発光素子１５Ｂとは、発光出力が同一のものを用いている。そして、図５に示すように、この測定装置１２の挿入空隙１４へ測定セル１３が差し込まれた状態で、試料反応層１８が、挿入空隙１４の内奥に位置する発光素子１５Ｂと受光素子１６Ｂとの間に位置するように設定されている。また、この状態で、発光素子１５Ａと受光素子１６Ａとの間には、測定セル１３の把持部１３Ｂ側の部分（下基板１７、スペーサ１９Ａ、上基板２０）が挿入されるようになっている。
【００２８】
このような構成のバイオセンサ１１を用いて試料液中の基質濃度を測定する手順を以下に説明する。まず、測定セル１３を測定装置１２の先端部の挿入空隙１４へ差し込む。次に、試料液を測定セル１３の一方の試料液導入部１３Ａに滴下するか、または試料液導入部１３Ａを試料液に接触させて、毛管現象により試料液を試料反応層１８へ導かせる。そして、所定時間経過後、発光素子１５Ａ、１５Ｂから同一波長域の光を照射し、それぞれの発光素子１５Ａ、１５Ｂに対応する受光素子１６Ａ、１６Ｂで光量の測定を行う。なお、受光素子１６Ａでは、上下基板１７、２０とスペーサ１９Ａを透過した光の光量を測定し、受光素子１６Ｂでは、上下基板１７、２０と試料反応層１８を透過した光の光量を測定する。これらの受光素子１６Ａ、１６Ｂでの測定データは、図示しない検出用コントロールユニットで比較されて吸光度が求められ、その結果、グルコース濃度に換算され、さらに、グルコース濃度の表示が表示装置で行われるようになっている。
【００２９】
なお、上記したスペーサ１９Ａの材料としては、試料液と同じ光透過率を有する材料が望ましいが、光透過率が異なる材料でも試料液とスペーサ１９Ａの光透過率比が判明していればよく、この場合は、試料液とスペーサ１９Ａとの透過率比を、受光素子１６Ａ、１６Ｂによる光量測定結果に加味して吸光度を求めるようにすればよい。
【００３０】
本実施形態では、スペーサ１９Ａを透明材料で形成したため、試料反応層１８とスペーサ部分とを透過する光の光量を同時に測定できる構造であり、基準透過光を試料液透過光と別に測定する時間が省けるため、測定時間の短縮化を図ることができる。
【００３１】
（実施形態３）
図６は、本発明に係るバイオセンサの実施形態３を示している。本実施形態の構成の説明に当たり、上記した実施形態１と同一部分には同一の符号を付してその説明を省略する。
【００３２】
本実施形態は、測定セル１３の下基板１７の試料反応層１８を配置する部分に凹部１７Ａを形成し、この凹部１７Ａ内に試料反応層１８を形成したものであり、他の構成は上記実施形態１と同様である。
【００３３】
本実施形態では、上記実施形態１と同様の測定手順を行うことにより、試料液中の基質濃度を測定することができる。特に、本実施形態では、下基板１７に試料反応層１８を収容する凹部１７Ａを形成したことにより、試料液が試料液導入空隙２１に沿って流入した場合に、凹部１７Ａ内の試薬が試料液に浸透流に流されず、発光素子１５と受光素子１６との間に確実な状態で試料反応層１８を局在させることができる。このため、本実施形態のバイオセンサでは、効率および精度の高い測定が行えるという利点がある。
【００３４】
なお、本実施形態においては、下基板１７に凹部１７Ａを形成する構成であるが、図７（ａ）、（ｂ）に示すように、測定セル１３の下基板１７と上基板２０との間に第１スペーサ２２と第２スペーサ２３とを介在させ、第１スペーサ２２に試料反応層１８を収容する開口部２２Ａを形成した構成とすることもできる。第２スペーサ２３は、第１スペーサ２２の開口部２２Ａを挟むように、挿入方向の前後に２分されたものであり、第１スペーサ２２と第２スペーサ２３との厚さの和は、上記実施形態１のスペーサ１９の厚さと同様に設定されている。
【００３５】
（実施形態４）
図８（ａ）〜（ｃ）は、本発明に係るバイオセンサの実施形態４を示している。図８（ａ）は本実施形態のバイオセンサ１１の測定セル１３の平面図、図８（ｂ）は図８（ａ）のＹ−Ｙ断面図、図８（ｃ）は測定装置１２に測定セル１３を差し込んだ状態を示す、測定セル１３の挿入方向に対して垂直方向に切った状態を示す断面図である。なお、本実施形態において上記した実施形態１と同一部分には同一の符号を付して説明を省略する。
【００３６】
本実施形態では、図８（ｂ）、（ｃ）に示すように、測定セル１３の下基板１７に、２つの凹部１７Ｂ、１７Ｃが形成され、この凹部１７Ｂ、１７Ｃ内にそれぞれ試料反応層１８Ａ、１８Ｂが収容・配置されている。ここで、試料反応層１８Ａは、上記実施形態１と同様にグルコースオキシダーゼ、ペルオキシダーゼ、および呈色試料を含んでなる。また、試料反応層１８Ｂは、コレステロールオキシダーゼ、ペルオキシダーゼ、および呈色試料を含んでなる。なお、測定セル１３における他の構成は、上記実施形態１と同様である。このように、グルコースとコレステロールとの測定が同時に行えるようになっている。
【００３７】
また、上記した構成の測定セル１３に対応して測定装置１２側には、測定セル１３が挿入空隙１４に差し込まれた状態で、それぞれの試料反応層１８Ａ、１８Ｂを挟んで対向するように、発光素子１５Ｃと受光素子１６Ｃの対と、発光素子１５Ｄと受光素子１６Ｄの対と、が並ぶように配置・形成されている。なお、測定装置１２の他の構成は、上記した実施形態１の測定装置１２と同様である。
【００３８】
このような構成のバイオセンサ１１の測定手順を以下に説明する。まず、測定セル１３の把持部１３Ｂを持って、測定セル１３を測定装置１２の挿入空隙１４へ差し込む。この状態で、それぞれの対の発光素子１５Ｃ、１５Ｄから所定の波長域の光を照射して、試料反応層１８Ａ、１８Ｂのそれぞれの透過光の光量を、それぞれの受光素子１６Ｃ、１６Ｄで測定する。次に、試料液を、測定セル１３の一方の試料液導入部１３Ａから滴下または付着させて、毛管現象により、それぞれの試料反応層１８Ａ、１８Ｂに到達させ、所定の時間経過後、再度、発光素子１５Ｃ、１５Ｄから光照射を行い、それぞれの試料反応層１８Ａ、１８Ｂを透過した光の光量を、受光素子１６Ｃ、１６Ｄで測定する。試料反応層１８Ａでの、試料液導入前後の光量比から吸光度を求めて、グルコース濃度を算出する。また、試料反応層１８Ｂでの、試料液導入前後の光量比から吸光度を求めてコレステロール濃度を算出する。
【００３９】
このように、本実施形態では、下基板１７に２つの凹部１７Ｂ、１７Ｃを設け、この凹部内に試料反応層を形成したので、試料液が毛管現象により、測定セル１３内に浸透してきても、凹部内の試薬が試料液の試料流に流されるのを防止することができる。このため、異なる凹部１７Ｂ、１７Ｃ内に設けられた試料反応層１８Ａ、１８Ｂの試薬が互いに混ざり合うことがなく、独立にそれぞれの測定を行うことができる。本実施形態では、複数の基質濃度を同時に測定できるという利点がある。
本実施形態では、呈色により着色した光が互いに干渉しないように試料反応層１８Ａ、１８Ｂの間に遮光膜をもうけてもよい。
また上記各実施形態では、測定セル１３が下基板１７及び上基板１８を有したが、下基板のみでもよい。
また上記各実施形態では、測定装置１２の挿入空隙１４に測定セル１３を挿入してから試料液を試料液導入空隙２１に導入するが、試料液を試料液導入空隙２１に導入した後、測定装置１２の挿入空隙１４に測定セル１３を挿入してもよい。
【００４０】
【発明の効果】
以上の説明から明らかなように、この発明によれば、透過型バイオセンサとすることができるので、試料反応層を、発光部の複数の進行方向に輻射的に出射される出射光のうちの試料反応層の面方向に対し実質的に垂直に進行する光の量が最大になるように配置することができ、試料反応層や基板での光の乱反射を最小限に抑制し、受光効率を向上することができる。そして発光部と受光部が試料液で汚損されることを抑制できるため、精度の高い基質濃度の測定を行えるという効果を奏する。また、発光部と受光部を試料反応層に対して最大限に近接させることができるため、光路長を短くすることができ、試料反応層からの拡散光も効率よく受光でき高性能な濃度測定を確実に行えるという効果がある。さらに、本発明によれば、一度の測定により、複数種の基質濃度の測定が可能となり、効率のよい測定が行えるバイオセンサを実現することができる。
【図面の簡単な説明】
【図１】本発明に係るバイオセンサの実施形態１を示す断面説明図。
【図２】実施形態１の平面説明図。
【図３】（ａ）は、実施形態１の測定センサを示す平面図、（ｂ）は（ａ）のＸ−Ｘ断面図。
【図４】実施形態１のバイオセンサにおける測定セルを差し込んだ状態を示す断面図。
【図５】本発明に係るバイオセンサの実施形態２を示す断面図。
【図６】本発明に係るバイオセンサの実施形態３を示す断面図。
【図７】（ａ）は実施形態３の測定セルの一部分解斜視図、（ｂ）は同測定セルの要部断面図。
【図８】（ａ）は本発明に係るバイオセンサの実施形態４の測定セルの平面図、（ｂ）は（ａ）のＹ−Ｙ断面図、（ｃ）は実施形態４のバイオセンサの断面図。
【図９】従来のバイオセンサの側面説明図。
【符号の説明】
１１  バイオセンサ
１２  測定装置
１３  測定セル
１３Ａ  試料液導入部
１４  挿入空隙
１５  発光素子
１６  受光素子
１７  下基板
１８  試料反応層
１９  スペーサ
２０  上基板
２１  試料液導入空隙
【図１】
0003687297.tif 000002
【図２】
0003687297.tif 000003
【図３】
0003687297.tif 000004
【図４】
0003687297.tif 000005
【図５】
0003687297.tif 000006
【図６】
0003687297.tif 000007
【図７】
0003687297.tif 000008
【図８】
0003687297.tif 000009
【図９】
0003687297.tif 000010